(57)【要約】【課題】人体洗浄ノズル装置を十分に洗浄および除菌することができるとともに、本体部内の腐食または故障が防止される衛生洗浄装置を提供する。【解決手段】ケーシング２０１内から前方に突出するようにノズル部３０が設けられている。ケーシング２０１の前面に温風出口１２が設けられている。また、ケーシング２０１内にエアーファン１１ａおよびヒータ１１ｂが設けられている。ケーシング２０１の背面の下部に空気入口５１ａが設けられている。空気入口５１ａは、配管５１を介してエアーファン１１ａの入口に接続されている。エアーファン１１ａの出口は、配管５２を介して第１の切替弁１５の入口に接続されている。第１の切替弁１５の第１の出口は、配管５３を介して温風出口１２に接続されている。また、第１の切替弁１５の第２の出口は、配管５４を介して乾燥空気ノズル１６に接続されている。【選択図】        図８
2004270136.tif 000002
【特許請求の範囲】
【請求項１】
給水源から供給される洗浄水を人体に噴出する衛生洗浄装置であって、
前記洗浄水を人体に噴出する人体洗浄ノズル装置と、
蒸気を噴出することにより前記人体洗浄ノズル装置を洗浄するノズル洗浄装置と、
前記人体洗浄ノズル装置および前記ノズル洗浄装置の動作を制御する制御装置と、
前記制御装置、前記人体洗浄ノズル装置および前記ノズル洗浄装置を少なくとも部分的に収容する本体部と、
前記本体部内の圧力を外部の圧力よりも高くする加圧手段とを備えたことを特徴とする衛生洗浄装置。
【請求項２】
前記加圧手段は、前記本体部内に空気を送り込む送風機を含むことを特徴とする請求項１記載の衛生洗浄装置。
【請求項３】
前記送風機により本体部内に送り込まれた空気を乾燥させる乾燥手段をさらに備えたことを特徴とする請求項２記載の衛生洗浄装置。
【請求項４】
前記乾燥手段は、前記送風機により前記本体部内に送り込まれた空気が通過する経路に設けられた加熱手段を含むことを特徴とする請求項３記載の衛生洗浄装置。
【請求項５】
前記乾燥手段は、前記送風機により前記本体部内に送り込まれた空気が通過する経路に設けられた乾燥剤を含むことを特徴とする請求項３または４記載の衛生洗浄装置。
【請求項６】
前記送風機により前記本体部内に送り込まれた空気を用いて人体の被洗浄部を乾燥させる乾燥装置をさらに備えたことを特徴とする請求項２〜５のいずれかに記載の衛生洗浄装置。
【請求項７】
前記加圧手段は、前記送風機により前記本体部内に送り込まれた空気を前記本体部内に排出する第１の経路を含み、
前記乾燥装置は、前記送風機により前記本体部内に送り込まれた空気を前記本体部外に排出する第２の経路を含むことを特徴とする請求項６記載の衛生洗浄装置。
【請求項８】
前記送風機により前記本体部内に送り込まれた空気を前記第１の経路および前記第２の経路のいずれか一方に選択的に導く経路切り替え手段をさらに備えたことを特徴とする請求項７記載の衛生洗浄装置。
【請求項９】
前記送風機により本体部内に送り込まれた空気の臭気を除去する脱臭装置をさらに備えたことを特徴とする請求項２記載の衛生洗浄装置。
【請求項１０】
前記加圧手段は、前記送風機により前記本体部内に送り込まれた空気を前記本体部内に排出する第１の経路を含み、
前記脱臭装置は、
前記送風機により前記本体部内に送り込まれた空気を前記本体部外に排出する第２の経路と、
前記送風機により前記本体部内に送り込まれた空気の臭気を除去する脱臭剤を収納する脱臭剤収納部とを含むことを特徴とする請求項９記載の衛生洗浄装置。
【請求項１１】
前記送風機により前記本体部内に送り込まれた空気を前記第１の経路および前記第２の経路のいずれか一方に選択的に導く第１の経路切り替え手段をさらに備えたことを特徴とする請求項１０記載の衛生洗浄装置。
【請求項１２】
前記本体部に設けられた便座部をさらに備え、
前記脱臭装置は、前記便座部の側における前記本体部の部分に空気吸入口を有し、
前記加圧手段は、前記脱臭装置の前記空気吸入口とは異なる前記本体部の位置に空気吸入口を有し、
前記脱臭装置の前記空気吸入口および前記加圧手段の前記空気吸入口のいずれか一方から吸入された空気を前記送風機に導く第２の経路切り替え手段をさらに備えたことを特徴とする請求項１１記載の衛生洗浄装置。
【発明の詳細な説明】
【０００１】
【発明の属する技術分野】
本発明は、給水源から供給される洗浄水を人体に噴出する衛生洗浄装置に関する。
【０００２】
【従来の技術】
従来より、人体の局部を洗浄するための人体洗浄ノズルを備えた衛生洗浄装置が広く知られている。この衛生洗浄装置は、洗浄水を人体洗浄ノズルに供給し、この人体洗浄ノズルから洗浄水を局部に向けて噴出するという構成を有している。
【０００３】
このような衛生洗浄装置においては、洗浄時に人体洗浄ノズルの先端部が局部に接近して洗浄水を噴出する。そのため、人体洗浄ノズルが洗浄の際に汚水や汚物を浴びやすく、人体洗浄ノズルの先端部を洗浄する必要がある。
【０００４】
そこで、人体の局部の洗浄の際に汚れた人体洗浄ノズルを洗浄するために、ノズル洗浄装置を備えた衛生洗浄装置が開発されている。この場合、局部の洗浄後に、人体洗浄ノズルに水を噴出することにより人体洗浄ノズルが洗浄される。
【０００５】
しかしながら、水の噴出では人体洗浄ノズルの汚れを十分に除去することが困難であり、除菌効果も得られない。そのため、薬液を用いて人体洗浄ノズルを洗浄することも提案されている（例えば、特許文献１参照）。
【０００６】
【特許文献１】
特開平８−９３０３４号公報
【０００７】
【発明が解決しようとする課題】
しかしながら、従来の人体洗浄ノズルを備えた衛生洗浄装置においては、人体の局部洗浄の際に、人体洗浄ノズルから噴出された薬液の蒸気が、衛生洗浄装置の本体部内に浸入する場合がある。それにより、本体部内の部品が腐食し、故障してしまうことがある。
【０００８】
そこで、本発明の目的は、人体洗浄ノズル装置を十分に洗浄および除菌することができるとともに、本体部内の腐食または故障が防止される衛生洗浄装置を提供することである。
【０００９】
【課題を解決するための手段】
従来の課題を解決するために、洗浄水を人体に噴出する人体洗浄ノズル装置と、蒸気を噴出することにより人体洗浄ノズル装置を洗浄するノズル洗浄装置と、人体洗浄ノズル装置およびノズル洗浄装置の動作を制御する制御装置と、制御装置、人体洗浄ノズル装置およびノズル洗浄装置を少なくとも部分的に収容する本体部と、本体部内の圧力を外部の圧力よりも高くする加圧手段とを備えたものである。
【００１０】
本発明に係る衛生洗浄装置においては、洗浄水が人体洗浄ノズル装置により人体に噴出される。また、ノズル洗浄装置により蒸気で人体洗浄ノズル装置が洗浄される。また、ノズル洗浄装置による人体洗浄ノズル装置の洗浄時に、加圧手段により衛生洗浄装置の本体部内が外部の圧力よりも高圧にされる。
【００１１】
【発明の実施の形態】
請求項１に記載の発明は、給水源から供給される洗浄水を人体に噴出する衛生洗浄装置であって、洗浄水を人体に噴出する人体洗浄ノズル装置と、蒸気を噴出することにより人体洗浄ノズル装置を洗浄するノズル洗浄装置と、人体洗浄ノズル装置およびノズル洗浄装置の動作を制御する制御装置と、制御装置、人体洗浄ノズル装置およびノズル洗浄装置を少なくとも部分的に収容する本体部と、本体部内の圧力を外部の圧力よりも高くする加圧手段とを備えたものである。
【００１２】
本発明に係る衛生洗浄装置においては、洗浄水が人体洗浄ノズル装置により人体に噴出される。また、ノズル洗浄装置により蒸気で人体洗浄ノズル装置が洗浄される。また、ノズル洗浄装置による人体洗浄ノズル装置の洗浄時に、加圧手段により衛生洗浄装置の本体部内が外部の圧力よりも高圧にされる。
【００１３】
このように、蒸気で人体洗浄ノズル装置が洗浄されるので、人体洗浄ノズル装置に付着した汚れが容易に除去されるとともに、除菌効果が得られる。また、本体部内が外部よりも高圧にされるので、ノズル洗浄装置から噴出される蒸気の本体部部内への浸入が防止される。これにより、本体部内の結露が防止され、本体部内の部品の腐食および故障を防止することができる。したがって、衛生洗浄装置の信頼性が向上する。
【００１４】
請求項２に記載の発明は、請求項１に記載の衛生洗浄装置の構成において、加圧手段は、本体部内に空気を送り込む送風機を含むものである。この場合、送風機によって本体部内に送られる空気により、本体部内を外部の圧力よりも高圧にすることができる。それにより、ノズル洗浄装置から噴出される蒸気の本体部部内への浸入が防止される。
【００１５】
請求項３に記載の発明は、請求項２に記載の衛生洗浄装置の構成において、送風機により本体部内に送り込まれた空気を乾燥させる乾燥手段をさらに備えたものである。
【００１６】
この場合、送風機によって本体部内に送られる空気が、乾燥手段により乾燥される。それにより、本体部内の腐食または故障がさらに防止される。
【００１７】
請求項４に記載の発明は、請求項３に記載の衛生洗浄装置の構成において、乾燥手段は、送風機により本体部内に送り込まれた空気が通過する経路に設けられた加熱手段を含むものである。
【００１８】
それにより、送風機によって本体部内に送り込まれた空気は、その空気が通過する経路に設けられた加熱手段により加熱される。これにより、効率的に乾燥空気を生成することができる。
【００１９】
請求項５に記載の発明は、請求項３または４記載の衛生洗浄装置の構成において、乾燥手段は、送風機により本体部内に送り込まれた空気が通過する経路に設けられた乾燥剤を含むものである。
【００２０】
それにより、送風機によって本体部内に送り込まれた空気は、その空気が通過する経路に設けられた乾燥剤により乾燥空気となる。これにより、効率的に乾燥空気を生成することができる。
【００２１】
請求項６に記載の発明は、請求項２〜５のいずれかに記載の衛生洗浄装置の構成において、送風機により本体部内に送り込まれた空気を用いて人体の被洗浄部を乾燥させる乾燥装置をさらに備えたものである。
【００２２】
この場合、乾燥装置により人体の被洗浄部に空気が噴出される。それにより、人体の被洗浄部を乾燥させることができる。
【００２３】
請求項７に記載の発明は、請求項６に記載の衛生洗浄装置の構成において、加圧手段は、送風機により本体部内に送り込まれた空気を本体部内に排出する第１の経路を含み、乾燥装置は、送風機により本体部内に送り込まれた空気を本体部外に排出する第２の経路を含むものである。
【００２４】
この場合、本体部内の加圧のための加圧手段を本体部外への空気の排出のための乾燥装置と共用することができる。それにより、新たに本体部内に加圧手段を設ける必要がなくなる。これにより、本体部内の複雑化を回避することができる。
【００２５】
請求項８に記載の発明は、請求項７に記載の衛生洗浄装置の構成において、送風機により本体部内に送り込まれた空気を第１の経路および第２の経路のいずれか一方に選択的に導く経路切り替え手段をさらに備えたものである。
【００２６】
この場合、加圧手段による本体部内の加圧と乾燥装置による空気の本体部外への排出とを経路切り替え手段により切り替えることができる。それにより、効率的に本体部内を加圧することができる。
【００２７】
請求項９に記載の発明は、請求項２に記載の衛生洗浄装置の構成において、送風機により本体部内に送り込まれた空気の臭気を除去する脱臭装置をさらに備えたものである。
【００２８】
この場合、脱臭装置により空気の臭気が除去される。それにより、衛生状態を確保することができる。
【００２９】
請求項１０に記載の発明は、請求項９に記載の衛生洗浄装置の構成において、加圧手段は、送風機により本体部内に送り込まれた空気を本体部内に排出する第１の経路を含み、脱臭装置は、送風機により本体部内に送り込まれた空気を本体部外に排出する第２の経路と、送風機により本体部内に送り込まれた空気の臭気を除去する脱臭剤を収納する脱臭剤収納部とを含むものである。
【００３０】
この場合、本体部内の加圧のための加圧手段を本体部外への空気の排出のための脱臭装置と共用することができる。それにより、新たに本体部内に加圧手段を設ける必要がなくなる。これにより、本体部内の複雑化を回避することができる。
【００３１】
また、脱臭剤収納部に収納される脱臭剤により本体部内に送り込まれた空気の臭気が除去される。それにより、衛生状態を確保することができる。
【００３２】
請求項１１に記載の発明は、請求項１０に記載の衛生洗浄装置の構成において、送風機により本体部内に送り込まれた空気を第１の経路および第２の経路のいずれか一方に選択的に導く第１の経路切り替え手段をさらに備えたものである。
【００３３】
この場合、加圧手段による本体部内の加圧と脱臭装置による空気の本体部外への排出とを経路切り替え手段により切り替えることができる。それにより、効率的に本体部内を加圧することができる。
【００３４】
請求項１２に記載の発明は、請求項１１に記載の衛生洗浄装置の構成において、本体部に設けられた便座部をさらに備え、脱臭装置は、便座部の側における本体部の部分に空気吸入口を有し、加圧手段は、脱臭装置の空気吸入口とは異なる本体部の位置に空気吸入口を有し、脱臭装置の空気吸入口および加圧手段の空気吸入口のいずれか一方から吸入された空気を送風機に導く第２の経路切り替え手段をさらに備えたものである。
【００３５】
便座部の側における本体部の部分に脱臭装置の空気吸入口を設けることにより、効率的に空気に含まれる臭気を吸入することができる。また、脱臭装置の空気吸入口とは異なる本体部の位置に加圧手段の空気吸入口を設けることにより、効率的に空気を吸入することができる。さらに、第２の経路切り替え手段により効率的に送風機に空気を送り込むことができる。
【００３６】
【実施例】
以下、本発明の実施例について、図面を参照しながら説明する。
【００３７】
（第１の実施例）
図１は本発明の一実施例に係る衛生洗浄装置を便器に装着した状態を示す斜視図である。
【００３８】
図１に示すように、便器６００上に衛生洗浄装置１００が装着される。タンク７００は、水道配管に接続されており、便器６００内に洗浄水を供給する。
【００３９】
衛生洗浄装置１００は、本体部２００、遠隔操作装置３００、便座部４００および蓋部５００により構成される。
【００４０】
本体部２００には、便座部４００および蓋部５００が開閉自在に取り付けられる。さらに、本体部２００には、ノズル部３０を含む洗浄水供給機構が設けられるとともに、制御部４が内蔵されている。本体部２００の制御部４は、後述するように遠隔操作装置３００により送信される信号に基いて、洗浄水供給機構を制御する。
【００４１】
次に、図２は図１の遠隔操作装置３００の一例を示す模式的平面図である。
図２に示すように、遠隔操作装置３００は、表示パネル３０１、調整スイッチ３０２、おしりスイッチ３０３、停止スイッチ３０５、ビデスイッチ３０６、乾燥スイッチ３０７、ノズル洗浄スイッチ３０９、スピーカ３１０、ＬＥＤ（発光ダイオード）３１１およびチャイルドロックスイッチ３１２を備える。
【００４２】
使用者により調整スイッチ３０２、おしりスイッチ３０３、停止スイッチ３０５、ビデスイッチ３０６、乾燥スイッチ３０７、ノズル洗浄スイッチ３０９およびチャイルドロックスイッチ３１２が押下操作される。それにより、遠隔操作装置３００は、後述する衛生洗浄装置１００の本体部２００に設けられた制御部４に所定の信号を無線送信する。本体部２００の制御部４は、遠隔操作装置３００より無線送信される所定の信号を受信し、洗浄水供給機構等を制御する。
【００４３】
例えば、使用者が、おしりスイッチ３０３またはビデスイッチ３０６を押下操作することにより図１の本体部２００のノズル部３０が移動して洗浄水が噴出する。停止スイッチ３０５を押下操作することによりノズル部３０からの洗浄水の噴出が停止する。
【００４４】
また、チャイルドロックスイッチ３１２を押下操作することにより、遠隔操作装置３００から後述の制御部に送信される所定の信号が無効とされる。ノズル洗浄スイッチ３０９を押下操作することにより、本体部２００のノズル部３０の洗浄が行われる。この洗浄の詳細については後述する。乾燥スイッチ３０７を押下操作することにより人体の局部に対して図８に示す温風出口１２より温風が噴出される。
【００４５】
調整スイッチ３０２は水勢調整スイッチ３０２ａ，３０２ｂを含む。使用者が、水勢調整スイッチ３０２ａ，３０２ｂを押下操作することにより、ノズル部３０より噴出される洗浄水の圧力が変化する。また、水勢調整スイッチ３０２ａ，３０２ｂの押下操作に伴って表示パネル３０１の棒グラフ状の点灯表示が変化する。
【００４６】
以下、本発明の一実施例に係る衛生洗浄装置１００の本体部２００について説明を行う。図３は本発明の一実施例に係る衛生洗浄装置１００の本体部２００の構成を示す模式図である。
【００４７】
図３に示す本体部２００は、制御部４、分岐水栓５、ストレーナ６、逆止弁７、定流量弁８、止水電磁弁９、流量センサ１０、熱交換器１１、温度センサ１２ａ，１２ｂ，１２ｃ、ポンプ１３、切替弁１４、瞬間加熱装置３３およびノズル部３０を含む。また、ノズル部３０は、おしりノズル１、ビデノズル２およびノズル洗浄用ノズル３を含み、瞬間加熱装置３３は、サーミスタ３３ａ、サーミスタ３３ｂおよび温度ヒューズ（図示せず）を備える。
【００４８】
図３に示すように、水道配管２０１に分岐水栓５が介挿される。また、分岐水栓５と熱交換器１１との間に接続される配管２０２に、ストレーナ６、逆止弁７、定流量弁８、止水電磁弁９、流量センサ１０および温度センサ１２ａが順に介挿されている。さらに、熱交換器１１と切替弁１４との間に接続される配管２０３に、温度センサ１２ｂおよびポンプ１３が介挿されている。
【００４９】
まず、水道配管２０１を流れる浄水が、洗浄水として分岐水栓５によりストレーナ６に供給される。ストレーナ６により洗浄水に含まれるごみや不純物等が除去される。次に、逆止弁７により配管２０２内における洗浄水の逆流が防止される。そして、定流量弁８により配管２０２内を流れる洗浄水の流量が一定に維持される。
【００５０】
また、ポンプ１３と切替弁１４との間にはリリーフ管２０４が接続され、止水電磁弁９と流量センサ１０との間には、逃がし水配管２０５が接続されている。リリーフ配管２０４には、リリーフ弁２０６が介挿されている。リリーフ弁２０６は、配管２０３の特にポンプ１３の下流側の圧力が所定値を超えると開成し、異常時の機器の破損、ホースの外れ等の不具合を防止する。
【００５１】
一方、定流量弁８によって流量が調節され供給される洗浄水のうちポンプ１３で吸引されない洗浄水を逃がし水配管２０５から放出する。これにより、水道供給圧に左右されることなくポンプ１３には所定の背圧が作用することになる。
【００５２】
次いで、流量センサ１０は、配管２０２内を流れる洗浄水の流量を測定し、制御部４に測定流量値を与える。また、温度センサ１２ａは、配管２０２内を流れる洗浄水の温度を測定し、制御部４に温度測定値を与える。
【００５３】
続いて、熱交換器１１は、制御部４により与えられる制御信号に基づいて、配管２０２を通して供給された洗浄水を所定の温度に加熱する。温度センサ１２ｂは、熱交換器１１により所定の温度に加熱された洗浄水の温度を測定し、制御部４に温度測定値を与える。
【００５４】
ポンプ１３は、熱交換器１１により加熱された洗浄水を制御部４により与えられる制御信号に基づいて、切替弁１４に圧送する。切替弁１４は、制御部４により与えられる制御信号に基づいて、ノズル部３０のおしりノズル１、ビデノズル２および瞬間加熱装置３３のいずれか１つに洗浄水を供給する。
【００５５】
ノズル部３０のおしりノズル１またはビデノズル２に洗浄水が供給された場合、おしりノズル１またはビデノズル２より洗浄水が噴出される。一方、瞬間加熱装置３３に洗浄水が供給された場合、瞬間加熱装置３３により洗浄水が加熱され、加熱された洗浄水または加熱により発生した蒸気がノズル洗浄用ノズル３に供給される。温度センサ１２ｃは、ノズル洗浄用ノズル３に供給される蒸気および温水の温度を測定し、制御部４に温度測定値を与える。
【００５６】
以下、瞬間加熱装置３３により加熱された洗浄水をノズル洗浄用高温水と呼び、瞬間加熱装置３３の加熱により発生する蒸気をノズル洗浄用蒸気と呼ぶ。
【００５７】
ノズル洗浄用ノズル３からノズル洗浄用高温水またはノズル洗浄用蒸気がおしりノズル１またはビデノズル２に噴出される。なお、瞬間加熱装置３３においては、サーミスタ３３ａ、サーモスタット３３ｂおよび温度ヒューズにより洗浄水の過熱が防止される。
【００５８】
おしりノズル１およびビデノズル２より噴出される洗浄水の流量ならびにノズル洗浄用ノズル３より噴出されるノズル洗浄用高温水およびノズル洗浄用蒸気の流量は、切替弁１４により調整される。
【００５９】
制御部４は、図１の遠隔操作装置３００から無線送信される信号、流量センサ１０から与えられる測定流量値および温度センサ１２ａ，１２ｂ，１２ｃから与えられる温度測定値に基づき止水電磁弁９、熱交換器１１、ポンプ１３、切替弁１４および瞬間加熱装置３３に対して制御信号を与える。
【００６０】
なお、本体部２００内の後述する防湿装置および乾燥装置の制御系の構成については、図９および図１２を用いて説明する。
【００６１】
図４は、瞬間加熱装置３３の構造を示す一部切り欠き断面図である。図４において、瞬間加熱装置３３は、ケーシング５０４、シーズヒータ５０５、熱伝導体５０６、配管５１０、サーミスタ３３ａ、サーモスタット３３ｂおよび温度ヒューズ３３ｃを含む。
【００６２】
ケーシング５０４は略直方体形状を有する。ケーシング５０４内には配管５１０とシーズヒータ５０５とが長手方向に延びるように所定の間隔をおいて併設されており、各々の両端部はケーシング５０４の両端面から外部へ突出している。
【００６３】
ケーシング５０４内において、配管５１０およびシーズヒータ５０５は熱伝導体５０６に覆われている。シーズヒータ５０５は電熱線を内蔵し、電力が供給されることにより発熱する。
【００６４】
上述のノズル洗浄時においては、切替弁１４により洗浄水が給水口５１１から配管５１０内へ導入される。
【００６５】
シーズヒータ５０５に電力が供給されると、シーズヒータ５０５により発生する熱が熱伝導体５０６を通じて配管５１０に伝達される。これにより、配管５１０内に導入された洗浄水が加熱され、ノズル洗浄用高温水またはノズル洗浄用蒸気が排出口５１２から排出される。
【００６６】
ここで、図４において配管５１０の給水口５１１側を瞬間加熱装置３３の上流側とし、排出口５１２側を瞬間加熱装置３３の下流側とすると、サーミスタ３３ａおよびサーモスタット３３ｂは瞬間加熱装置３３の下流側に設けられている。また、温度ヒューズ３３ｃはケーシング５０４の側面に設けられている。
【００６７】
なお、本実施例において、サーミスタ３３ａ、サーモスタット３３ｂおよび温度ヒューズ３３ｃは、各々動作基準温度が異なる。それにより、３段階の過熱防止の調整を行うことができる。さらに、サーミスタ３３ａ、サーモスタット３３ｂおよび温度ヒューズ３３ｃの、いずれか１つが故障しても、残りの２つにより過熱が防止される。
【００６８】
サーミスタ３３ａは、シーズヒータ５０５に取り付けられ、シーズヒータ５０５の温度を検知する。制御部４は、サーミスタ３３ａから与えられるシーズヒータ５０５の温度を判定し、過熱状態にある場合、シーズヒータ５０５の温度を低下させるように制御を行う。
【００６９】
サーモスタット３３ｂは、配管５１０内を流通する洗浄水の温度を検知可能に取り付けられる。配管５１０内を流通する洗浄水の温度がサーモスタット３３ｂの動作基準温度を超過した場合、サーモスタット３３ｂは、シーズヒータ５０５の電力供給を遮断するように動作する。
【００７０】
最後に、温度ヒューズ３３ｃは、ケーシング５０４に密着固定されている。ケーシング５０４の温度が温度ヒューズ３３ｃの動作基準温度を超過した場合、温度ヒューズ３３ｃが溶断することによりシーズヒータ５０５への電力供給が遮断される。
【００７１】
以上のサーミスタ３３ａ、サーモスタット３３ｂおよび温度ヒューズ３３ｃの働きにより、シーズヒータ５０５による洗浄水の過熱およびシーズヒータ５０５自体の過熱が防止される。
【００７２】
なお、本実施例に係る瞬間加熱装置３３においては、洗浄水の加熱手段としてシーズヒータ５０５を用いるが、これに限らず、マイカヒータ、セラミックヒータ、またはプリントヒータ等を用いてもよい。
【００７３】
さらに、サーミスタ３３ａ、サーモスタット３３ｂおよび温度ヒューズ３３ｃの各々が瞬間加熱装置３３の過熱を防止しているが、サーミスタ３３ａまたはサーモスタット３３ｂを制御部４と接続することにより、制御部４がサーミスタ３３ａまたはサーモスタット３３ｂの温度測定値に基づいてシーズヒータ５０５の温度をフィードバック制御またはフィードフォワード制御してもよい。
【００７４】
図５は、ノズル部３０の一部を示す外観斜視図である。図５においては、円筒形状を有するおしりノズル１とビデノズル２とが隣接するように平行に設けられており、おしりノズル１およびビデノズル２の先端上部を覆うようにノズル洗浄用ノズル３が取り付けられている。
【００７５】
ノズル洗浄用ノズル３の後端にはチューブ３ｔが接続されており、チューブ３ｔは瞬間加熱装置３３の排出口５１２に接続される。これにより、瞬間加熱装置３３からノズル洗浄用高温水またはノズル洗浄用蒸気がチューブ３ｔを通じてノズル洗浄用ノズル３に供給される。
【００７６】
図６はおしりノズルから人体の被洗浄面に向けて洗浄水が噴出される場合のノズル部の模式的断面図であり、図７はノズル洗浄用ノズルからノズル洗浄用高温水またはノズル洗浄用蒸気が噴出される場合のノズル部の模式的断面図である。
【００７７】
図６および図７において、ノズル部３０は、その全体または一部が本体部２００のケーシング内に収容されている。
【００７８】
以下、おしりノズル１による人体の局部の洗浄をおしり洗浄と呼ぶ。
おしりノズル１は、ピストン２０、シリンダ２１およびスプリング２３から構成されている。シリンダ２１の後端面には洗浄水入口２４ａが設けられ、側部には洗浄水入口２４ｂが設けられている。ピストン２０の内部には第１の流路２０ａおよび第２の流路２０ｂが形成され、ピストン２０の先端部の上面には噴出孔２５が設けられている。
【００７９】
おしり洗浄の開始時にシリンダ２１の洗浄水入口２４ｂから洗浄水が供給される。これにより、図６に示すように、シリンダ２１内に設けられたピストン２０がスプリング２３の弾性力に抗して本体部２００のケーシング外部へ突出する。
【００８０】
その後、シリンダ２１の洗浄水入口２４ａ，２４ｂから洗浄水が供給される。これにより、洗浄水入口２４ａから供給された洗浄水がピストン２０の第１の流路２０ａへ導入され、回転力が与えられつつ噴出孔２５より噴出される。また、洗浄水入口２４ｂから供給された洗浄水がピストン２０の第２の流路２０ｂへ導入され、噴出孔２５より噴出される。
【００８１】
このように、第１の流路２０ａから噴出孔２５へ送られる洗浄水には回転力が与えられるので、噴出孔２５から人体の被洗浄面に向けて噴出される洗浄水は広がり角度を有する。上述の切替弁１４を用いて第１の流路２０ａ内の洗浄水の流量と第２の流路２０ｂ内の洗浄水の流量との比を調整することにより、噴出孔２５から噴出される洗浄水の広がり角度を調整することができる。
【００８２】
おしり洗浄の終了時においては、シリンダ２１の洗浄水入口２４ａ，２４ｂへの洗浄水の供給が停止される。それにより、図７に示すように、ピストン２０がスプリング２３の弾性力によりシリンダ２１内に収納される。この場合、ピストン２０は、スプリング２３の弾性力によりシリンダ２１内に収納された状態で保持されるので本体部２００から突出しない。
【００８３】
ノズル洗浄用ノズル３の後端面には洗浄水入口２４ｃが設けられ、おしりノズル１の噴出孔２５および上述のビデノズル２の噴出孔と対向するようにノズル洗浄用ノズル３の先端下面側にノズル洗浄孔２４ｄが設けられている。ノズル洗浄用ノズル３の内部には、洗浄水入口２４ｃとノズル洗浄孔２４ｄとを連通する流路２４ｅが形成されている。上述のように、洗浄水入口２４ｃはチューブ３ｔ（図５）を介して瞬間加熱装置３３の排出口５１２に接続される。
【００８４】
ノズル洗浄時においては、瞬間加熱装置３３からノズル洗浄用ノズル３の洗浄水入口２４ｃにノズル洗浄用高温水またはノズル洗浄用蒸気が供給される。それにより、図７に示すようにノズル洗浄用高温水またはノズル洗浄用蒸気が、流路２４ｅを通じてノズル洗浄孔２４ｄから矢印Ｊ１の方向に噴出される。
【００８５】
ノズル洗浄用ノズル３のノズル洗浄孔２４ｄから噴出されるノズル洗浄用高温水またはノズル洗浄用蒸気は、おしりノズル１の噴出孔２５およびビデノズル２の噴出孔の周辺に噴出される。それにより、ノズル１の噴出孔２５またはビデノズル２の噴出孔の周囲に付着した汚れがノズル洗浄用高温水またはノズル洗浄用蒸気により剥離され、便器６００内に流される。その結果、おしりノズル１の噴出孔２５およびビデノズル２の噴出孔の周辺の洗浄および除菌が行われる。
【００８６】
本実施例においては、人体の局部乾燥用のエアーファンを防湿装置と共用する。
【００８７】
図８は第１の実施例に係る衛生洗浄装置１００の本体部２００の構成を示す模式図である。図８（ａ）は本体部２００の一部の模式的正面図であり、図８（ｂ）は本体部２００の模式的断面図である。
【００８８】
図８（ａ）に示すように、ケーシング２０１内から前方に突出するようにノズル部３０が設けられている。ケーシング２０１の前面に温風出口１２が設けられている。また、ケーシング２０１内にエアーファン１１ａおよびヒータ１１ｂが設けられている。
【００８９】
図８（ｂ）に示すように、ケーシング２０１の背面の下部に空気入口５１ａが設けられている。空気入口５１ａは、配管５１を介してエアーファン１１ａの入口に接続されている。エアーファン１１ａの出口は、配管５２を介して第１の切替弁１５の入口に接続されている。
【００９０】
第１の切替弁１５の第１の出口は、配管５３を介して温風出口１２に接続されている。また、第１の切替弁１５の第２の出口は、配管５４を介して乾燥空気ノズル１６に接続されている。
【００９１】
エアーファン１１ａ、ヒータ１１ｂ、配管５１，５２、第１の切替弁１５、配管５４および乾燥空気ノズル１６が防湿装置を構成する。また、エアーファン１１ａ、ヒータ１１ｂ、配管５１，５２、第１の切替弁１５、配管５３および温風出口１２が乾燥装置を構成する。
【００９２】
人体の局部乾燥を行う場合、空気入口５１ａからエアーファン１１ａにより吸入された空気は、ヒータ１１ｂにより加熱される。加熱された空気は、配管５２、第１の切替弁１５および配管５３を通って温風出口１２より噴出される。
【００９３】
本体部２００内を防湿する場合、空気入口５１ａからエアーファン１１ａにより吸入された空気は、ヒータ１１ｂにより加熱される。加熱された空気は、配管５２、第１の切替弁１５および配管５４を通って乾燥空気ノズル１６から本体部２００内に噴出される。
【００９４】
図９は図８の本体部２００内の防湿装置および乾燥装置の制御系の構成を示すブロック図である。
【００９５】
図９に示すように、制御部４は、エアーファン１１ａ、ヒータ１１ｂの動作および第１の切替弁１５の切り替えを制御する。一方、制御部４は、遠隔操作装置３００から与えられる指令信号を受け取る。
【００９６】
図１０は制御部４による本体部２００内の防湿装置の制御動作を示すフローチャートである。
【００９７】
図１０に示すように、制御部４は、初めに、ノズル洗浄スイッチ３０９がオンされたか否かを判別する（ステップＳ１）。ノズル洗浄スイッチ３０９がオンされた場合、制御部４は、ヒータ１１ｂを作動させる（ステップＳ２）。ノズル洗浄スイッチ３０９がオンされていない場合、ステップＳ１に戻る。
【００９８】
次に、制御部４は、第１の切替弁１５により空気流路の切り替えを行う（ステップＳ３）。この場合、第１の切替弁１５の第１の出口は閉じられ、第１の切替弁１５の第２の出口が開放される。次に、制御部４は、エアーファン１１ａを作動させる（ステップＳ４）。
【００９９】
続いて、制御部４は、ノズル洗浄スイッチ３０９がオフされたか否かを判別する（ステップＳ５）。ノズル洗浄スイッチ３０９がオフされていない場合、ノズル洗浄スイッチ３０９がオフされるまで待機する。ノズル洗浄スイッチ３０９がオフされた場合、制御部４は、ヒータ１１ｂを停止させる（ステップＳ６）。
【０１００】
次に、制御部４は、エアーファン１１ａを停止させる（ステップＳ７）。それにより、防湿装置による防湿動作が終了する。
【０１０１】
以上に示すように、本実施例においては、ノズル洗浄用ノズル３による人体洗浄ノズルの洗浄時に、エアーファン１１ａにより本体部２００内に送り込まれる空気は、ヒータ１１ｂにより加熱される。ヒータ１１ｂにより加熱された空気は、本体部２００内に排出される。それにより、本体部２００内が外部の圧力よりも高圧にされる。これにより、ノズル洗浄用ノズル３から噴出される洗浄水の本体部部２００内への浸入が防止される。これにより、本体部２００内の結露が防止され、本体部２００内の部品の腐食を防止することができる。したがって、衛生洗浄装置１００の信頼性が向上する。
【０１０２】
また、本体部２００内を防湿するために人体の局部乾燥用のエアーファン１１ａを防湿装置と共用する。それにより、新たに防湿装置を設ける必要がなく、本体部２００内の複雑化を回避することができる。
【０１０３】
また、人体の局部乾燥用の配管経路とは別の防湿用の配管経路を設けることにより第１の切替弁１５による空気流路の切り替えだけで乾燥空気を本体部２００内に噴出することができる。それにより、効率的に本体部２００内を防湿することができる。
【０１０４】
また、エアーファン１１ａに内蔵されているヒータ１１ｂに通電することで乾燥空気を生成する。それにより、容易に乾燥空気を生成することができる。生成された乾燥空気を本体部２００内に噴出することにより効率的に防湿することができる。
【０１０５】
さらに、人体洗浄ノズルのノズル洗浄が必要な時にのみ防湿装置を作動させて防湿する。それにより、防湿装置を作動させるための余分な電気代を削減することできる。
【０１０６】
（第２の実施例）
本実施例においては、図１１に示す脱臭装置１８を防湿装置と共用する。
【０１０７】
図１１は第２の実施例に係る衛生洗浄装置１００の本体部２００ａの構成を示す模式図である。図１１（ａ）は本体部２００ａの一部の模式的正面図であり、図１１（ｂ）は本体部２００ａの模式的断面図である。
【０１０８】
図１１（ａ）に示すように、ケーシング２０１内から前方に突出するようにノズル部３０が設けられている。ケーシング２０１の前面に空気入口１７が設けられている。また、ケーシング２０１内に脱臭装置１８および乾燥剤供給装置１９が設けられている。
【０１０９】
図１１（ｂ）に示すように、空気入口１７は、配管５５を介して第２の切替弁１５ａの第１の入口に接続されている。第２の切替弁１５ａの出口は、配管５６を介して脱臭装置１８の入口に接続されている。また、脱臭装置１８の出口は、配管５７を介して第３の切替弁１５ｂの入口に接続されている。なお、脱臭装置１８は、脱臭用エアーファン（図示せず）および脱臭剤供給装置（図示せず）からなる。
【０１１０】
第３の切替弁１５ｂの第１の出口は、配管５８を介してケーシング２０１外に通じる空気出口５８ａに接続されている。また、第３の切替弁１５ｂの第２の出口は、配管６０を介して乾燥空気ノズル１９ａに接続されており、配管６０には乾燥剤供給装置１９が介挿されている。さらに、ケーシング２０１の上方に設けられた空気入口５９ａは、配管５９を介して第２の切替弁１５ａの第２の入口に接続されている。
【０１１１】
配管５６，５７，５９，６０、第２の切替弁１５ａ、脱臭装置１８、第３の切替弁１５ｂ、乾燥剤供給装置１９および乾燥空気ノズル１９ａが防湿装置を構成する。また、空気入口１７、配管５５，５６，５７，５８、第２の切替弁１５ａ、脱臭装置１８および第３の切替弁１５ｂが脱臭用装置を構成する。
【０１１２】
脱臭を行う場合、空気入口１７から脱臭装置１８により吸入された空気は脱臭装置１８により脱臭される。脱臭された空気は、配管５７、第３の切替弁１５ｂおよび配管５８を通って空気出口５８ａより噴出される。
【０１１３】
本体部２００ａ内を防湿する場合、空気入口５９ａから脱臭装置１８により吸入された空気は、配管５７、第３の切替弁１５ｂおよび配管６０を通って乾燥剤供給装置１９に入る。ここで、この空気は、乾燥剤供給装置１９により乾燥剤を供給される。それにより、乾燥空気となり、乾燥空気ノズル１９ａから本体部２００ａ内に噴出される。なお、乾燥剤としてシリカゲル、活性アルミナ、塩化カルシウムおよび活性炭等を用いる。
【０１１４】
図１２は図１１の本体部２００ａ内の防湿装置および脱臭用装置の制御系の構成を示すブロック図である。
【０１１５】
図１２に示すように、制御部４は、脱臭装置１８の動作および第２の切替弁１５ａ、第３の切替弁１５ｂの切り替えを制御する。また、制御部４は、遠隔操作装置３００から与えられる指令信号を受け取る。
【０１１６】
図１３は制御部４による本体部２００ａ内の防湿装置の制御動作を示すフローチャートである。
【０１１７】
図１３に示すように、制御部４は、初めに、ノズル洗浄スイッチ３０９がオンされたか否かを判別する（ステップＳ２１）。ノズル洗浄スイッチ３０９がオンされた場合、制御部４は、第２の切替弁１５ａおよび第３の切替弁１５ｂにより空気流路の切り替えを行う（ステップＳ２２）。この場合、第２の切替弁１５ａの第１の入口は閉じられ、第２の切替弁１５ａの第２の入口が開放される。
【０１１８】
また、第３の切替弁１５ｂの第１の出口は閉じられ、第３の切替弁１５ｂの第２の出口が開放される。ノズル洗浄スイッチ３０９がオンされていない場合、ステップＳ２１に戻る。
【０１１９】
次に、制御部４は、脱臭装置１８を作動させる（ステップＳ２３）。次に、制御部４は、ノズル洗浄スイッチ３０９がオフされたか否かを判別する（ステップＳ２４）。ノズル洗浄スイッチ３０９がオフされていない場合、ノズル洗浄スイッチ３０９がオフされるまで待機する。
【０１２０】
ノズル洗浄スイッチ３０９がオフされた場合、制御部４は、脱臭装置１８を停止させる（ステップＳ２５）。それにより、防湿装置による防湿動作が終了する。
【０１２１】
以上に示すように、本実施例においては、ノズル洗浄用ノズル３による人体洗浄ノズルの洗浄時に、脱臭装置１８により空気が本体部２００ａ内に吸入される。吸入された空気は、乾燥剤供給装置１９により乾燥剤が供給される。それにより、乾燥空気となり、乾燥空気ノズル１９ａより噴出される。これにより、本体部２００ａ内が外部の圧力よりも高圧にされる。これにより、ノズル洗浄用ノズル３から噴出される洗浄水の本体部部２００ａ内への浸入が防止される。これにより、本体部２００ａ内の結露が防止され、本体部２００ａ内の部品の腐食を防止することができる。したがって、衛生洗浄装置１００の信頼性が向上する。
【０１２２】
以上に示すように、本実施例においては、本体部２００ａ内を防湿するために脱臭装置１８を防湿装置と共用する。それにより、新たに防湿装置を設ける必要がなく、本体部２００ａ内の複雑化を回避することができる。
【０１２３】
また、脱臭装置用の配管経路とは別の防湿用の配管経路を設けることにより第２の切替弁１５ａおよび第３の切替弁１５ｂによる空気流路の切り替えだけで乾燥空気を本体部２００ａ内に噴出することができる。それにより、効率的に本体部２００ａ内を防湿することができる。
【０１２４】
また、乾燥剤供給装置１９により空気に乾燥剤を供給することで乾燥空気を生成する。それにより、容易に乾燥空気を生成することができる。生成された乾燥空気を本体部２００ａ内に噴出することにより効率的に防湿することができる。
【０１２５】
さらに、人体洗浄ノズルのノズル洗浄が必要な時にのみ防湿装置を作動させて防湿する。それにより、防湿装置を作動させるための余分な電気代を削減することできる。
【０１２６】
以上に示す第１および第２の実施例においては、おしりノズル１およびビデノズル２が人体洗浄ノズル装置に相当し、ノズル洗浄用ノズル３がノズル洗浄装置および噴出装置に相当し、制御部４が制御装置に相当し、エアーファン１１ａおよび脱臭装置１８が送風機に相当する。また、ヒータ１１ｂが加熱手段に相当し、エアーファン１１ａおよびヒータ１１ｂが乾燥装置に相当し、配管５４および配管６０が第１の経路に相当し、配管５３および配管５８が第２の経路に相当する。さらに、脱臭装置１８が脱臭剤収納部に相当し、第１の切替弁１５が経路切り替え手段に相当し、第２の切替弁１５ａが第２の経路切り替え手段に相当し、第３の切替弁１５ｂが第１の経路切り替え手段に相当し、空気入口１７，５９ａが空気吸入口に相当する。
【０１２７】
【発明の効果】
本発明に係る衛生洗浄装置によれば、蒸気で人体洗浄ノズル装置が洗浄されるので、人体洗浄ノズル装置に付着した汚れが容易に除去されるとともに、除菌効果が得られる。また、本体部内が外部よりも高圧にされるので、ノズル洗浄装置から噴出される蒸気の本体部部内への浸入が防止される。これにより、本体部内の結露が防止され、本体部内の部品の腐食および故障を防止することができる。したがって、衛生洗浄装置の信頼性が向上する。
【図面の簡単な説明】
【図１】本発明の一実施例に係る衛生洗浄装置を便器に装着した状態を示す斜視図
【図２】図１の遠隔操作装置の一例を示す模式的平面図
【図３】本発明の一実施例に係る衛生洗浄装置の本体部の構成を示す模式図
【図４】瞬間加熱装置の構造を示す一部切り欠き断面図
【図５】ノズル部の一部を示す外観斜視図
【図６】おしりノズルから人体の被洗浄面に向けて洗浄水が噴出される場合のノズル部の模式的断面図
【図７】ノズル洗浄用ノズルからノズル洗浄用高温水またはノズル洗浄用蒸気が噴出される場合のノズル部の模式的断面図
【図８】第１の実施例に係る衛生洗浄装置の本体部の構成を示す模式図
【図９】図８の本体部内の防湿装置および乾燥装置の制御系の構成を示すブロック図
【図１０】制御部４による本体部内の防湿装置の制御動作を示すフローチャート
【図１１】第２の実施例に係る衛生洗浄装置の本体部の構成を示す模式図
【図１２】図１１の本体部内の防湿装置および脱臭装置の制御系の構成を示すブロック図
【図１３】制御部４による本体部内の防湿装置の制御動作を示すフローチャート
【符号の説明】
１  おしりノズル
２  ビデノズル
３  ノズル洗浄用ノズル
４  制御部
１１ａ  エアーファン
１１ｂ  ヒータ
１５  第１の切替弁
１５ａ  第２の切替弁
１５ｂ  第３の切替弁
１７  空気入口
１８  脱臭装置
１９  乾燥剤供給装置
３０  ノズル部
３３  瞬間加熱装置
５９ａ  空気入口
１００  衛生洗浄装置
２００，２００ａ  本体部
３００  遠隔操作装置
【図１】
2004270136.tif 000003
【図２】
2004270136.tif 000004
【図３】
2004270136.tif 000005
【図４】
2004270136.tif 000006
【図５】
2004270136.tif 000007
【図６】
2004270136.tif 000008
【図７】
2004270136.tif 000009
【図８】
2004270136.tif 000010
【図９】
2004270136.tif 000011
【図１０】
2004270136.tif 000012
【図１１】
2004270136.tif 000013
【図１２】
2004270136.tif 000014
【図１３】
2004270136.tif 000015